(57)【特許請求の範囲】
【請求項１】
ケース内に収容される冷却槽と、
飲料を注出する注出部と、
前記冷却槽内に配置され、前記飲料を冷却する冷却管と、
前記注出部および前記冷却管を固定する固定部と、を備え、
前記ケースの上蓋を外して前記冷却管と前記注出部とを固定した前記固定部を着脱可能にした飲料冷却注出装置であって、
前記ケースには、鉛直方向に延びて上端縁部が開放され、前記冷却管と接続される飲料ホースを少なくとも２本挿通するホース導入部が形成され、
前記ケースに取り付けられ、前記飲料ホースが挿通されるホース挿通部が形成されたホース入口カバーを備え、
前記ホース導入部に前記飲料ホースが１本または複数本挿通されたときに、前記飲料ホースの本数にかかわらず前記ホース導入部に形成される隙間を塞ぎつつ、前記飲料ホースの周囲全体を前記ホース導入部の縁部と前記ホース挿通部とで囲んで保持したことを特徴とする飲料冷却注出装置。
【請求項２】
前記ホース入口カバーは、磁石を介して前記ケースに取り付けられていることを特徴とする請求項１に記載の飲料冷却注出装置。
【請求項３】
前記ホース入口カバーには、前記ホース挿通部として、鉛直方向の一方の縁部に１本分の前記飲料ホースを挿通可能な第１ホース挿通部が形成されるとともに、鉛直方向の他方の縁部に２本分の前記飲料ホースを挿通可能な第２ホース挿通部が形成されていることを特徴とする請求項１または請求項２に記載の飲料冷却注出装置。
【請求項４】
前記上蓋は、その縁部が鉛直方向下方に向けて折り曲げられた縁曲げ部を有し、前記縁曲げ部は、前記飲料ホースが挿通されていない前記第１ホース挿通部または前記第２ホース挿通部の全体を塞ぐ位置まで延びていることを特徴とする請求項３に記載の飲料冷却注出装置。
【請求項５】
前記ホース入口カバーには、前記ホース挿通部として、鉛直方向の一方の縁部に２本分の前記飲料ホースを挿通可能な第３ホース挿通部が形成されていることを特徴とする請求項１または請求項２に記載の飲料冷却注出装置。
【請求項６】
前記ホース入口カバーの側縁部には、前記ケースから離れる方向に延びる延出部が形成され、
前記延出部には貫通孔が形成されていることを特徴とする請求項１から請求項５のいずれか１項に記載の飲料冷却注出装置。
【請求項７】
前記ホース入口カバーには、前記ホース挿通部として、鉛直方向の下端縁部に少なくとも２本分の前記飲料ホースを挿通可能な第４ホース挿通部が形成されていることを特徴とする請求項１に記載の飲料冷却注出装置。
【請求項８】
前記ケースには、前記ホース導入部を挟んだ一側に鉛直方向に延びる第１長孔が形成され、
前記第１長孔に対して前記ホース入口カバーを鉛直方向にスライドさせるとともに回転させることで前記ホース導入部を開放させることを特徴とする請求項７に記載の飲料冷却注出装置。
【請求項９】
前記ケースには、前記ホース導入部を挟んだ両側に鉛直方向に延びて前記ケースの上端縁部が開放した第１ガイド部が形成され、
前記第１ガイド部を介して前記ホース入口カバーを鉛直方向にスライドさせることで着脱可能に構成されていることを特徴とする請求項７に記載の飲料冷却注出装置。
【請求項１０】
前記ケースには、前記ホース導入部を挟んだ一方の側に前記ホース導入部に開放する第２ガイド部が形成され、かつ、他方の側に前記第２ガイド部の基端を中心として円弧状に延びる第３ガイド部が形成され、
前記ホース入口カバーを前記第２ガイド部を介して回転させるとともに前記第３ガイド部を介してスライドさせることで前記ホース導入部を開放させることを特徴とする請求項７に記載の飲料冷却注出装置。
【請求項１１】
前記ホース入口カバーには、前記ホース挿通部として、鉛直方向の一方の縁部に１本分の前記飲料ホースを挿通可能な第１ホース挿通部が形成されるとともに、鉛直方向の他方の縁部に２本分の前記飲料ホースを挿通可能な第２ホース挿通部が形成され、
前記第１ホース挿通部の両側に鉛直方向に延びて前記一方の縁部が開放する第１スライド部が形成され、前記第２ホース挿通部の両側に鉛直方向に延びて前記他方の縁部が開放する第２スライド部が形成されていることを特徴とする請求項１に記載の飲料冷却注出装置。
【請求項１２】
前記ホース入口カバーには、前記ホース挿通部として鉛直方向の下端縁部に少なくとも２本分の前記飲料ホースを並んで挿通可能な第３ホース挿通部が形成されるとともに、前記ホース導入部を挟んだ片側に鉛直方向に並んで延びる一対の第２長孔が形成され、
前記ホース入口カバーを前記第２長孔に対して鉛直方向にスライドさせるとともに回転させることで前記ホース導入部を開放させることを特徴とする請求項１に記載の飲料冷却注出装置。
【請求項１３】
前記ホース入口カバーには、前記ホース挿通部として、水平方向に延びて一方の側縁部が開放し、少なくとも２本分の前記飲料ホースを挿通可能な第５ホース挿通部が形成され、
前記ケースに対して前記ホース入口カバーを回転させることで前記第５ホース挿通部の前記側縁部を前記ホース導入部内に開放させることを特徴とする請求項１に記載の飲料冷却注出装置。
【請求項１４】
前記ホース導入部は、前記ケースの上端縁部から前記冷却槽の水槽の上限まで延びていることを特徴とする請求項１から請求項１３のいずれか１項に記載の飲料冷却注出装置。
【請求項１５】
飲料冷却注出装置のケースに形成されたホース導入部に装着されるホース入口カバーであって、
前記ホース導入部は、前記ケースの上端縁部が開放され、飲料ホースを少なくとも２本挿通可能であり、
前記飲料ホースが挿通されるホース挿通部を備え、
前記ホース導入部に前記飲料ホースが１本または複数本挿通されたときに、前記飲料ホースの本数にかかわらず前記ホース導入部に形成される隙間を塞ぎつつ、前記飲料ホースの周囲全体を前記ホース導入部の縁部と前記ホース挿通部とで囲んで保持することを特徴とするホース入口カバー。
【発明の詳細な説明】
【技術分野】
【０００１】
本発明は、分離型の飲料冷却注出装置およびホース入口カバーに関する。
【背景技術】
【０００２】
分離型のビールサーバー（飲料冷却注出装置）は、ビールの品質を高く維持するため、ビール回路（注出部、冷却管、ビールホース）をケース内の水槽から着脱可能にして、ビール回路のメンテナンス性の向上を図っている。また、このような分離型のビールサーバーは、ビール回路を一体に構成して、ビールサーバーの上部から持ち上げることでビール回路の取り外しを容易にしている。このとき、側面パネルにビールホースを通す導入切欠部（ホース導入部）を凹状に形成することで、ビールホースを一緒に抜き取ることができるようになっている（特許文献１参照）。
【先行技術文献】
【特許文献】
【０００３】
【特許文献１】特開２００４−８５１５９号公報
【発明の概要】
【発明が解決しようとする課題】
【０００４】
ところで、従来のビールサーバーのホース導入部は、２種類のビールを提供するために２本のビールホースを通す場合もあり、ホース導入部がビールホースの１本分の径よりも十分に大きな開口面積、つまりビールホースを２本並べることができる幅に形成されている。このため１本のビールホースしか使用しない場合は、ビールホースを通した際に形成されるホース導入部の隙間から異物が侵入するおそれがあった。
【０００５】
そこで、図１７（ａ）、（ｂ）に示すビールサーバーでは、側面パネル２００に形成されたホース導入部２０１（ビールホース２本分の幅）にホース入口カバー３００を取り付けて１本しかビールホースを使用しない場合の隙間を塞ぐことが提案されている。ホース入口カバー３００には、略Ｈ型に形成され、１本分のビールホース１５を挿通可能な溝３０１と２本分のビールホース１５Ａ，１５Ｂを挿通可能な溝３０２が形成されている。１本のビールホース１５を使用する場合には、溝３０１を上向きとして側面パネル２００に取り付け、上蓋４００でビールホース１５を抑えるようにしている（図１７（ａ）参照）。また、２本のビールホース１５Ａ，１５Ｂを使用する場合には、上下を反転させて溝３０２を上向きとして側面パネル２００に取り付け、上蓋４００でビールホース１５Ａ，１５Ｂを抑えるようにしている。
【０００６】
しかしながら、上蓋４００でビールホース１５（１５Ａ，１５Ｂ）を抑える構造であるため、ホース導入部２０１の深さが浅く、図１８に示すように、ビールホース１５をビールサーバーの外部から内部に導入する導入位置が高くなり、ビールホース１５がビールサーバー内に導入された後に大きく下降して、冷却管から延びる継手６００に接続されるようになっている。このため、図１８の破線で囲んだ部分にビールが残留して、ビールの品質を損なうという課題があった。
【０００７】
また、ビールホース１５がホース導入部２０１を乗り越えてから下方に位置する継手６００に接続されるが、この継手６００に対して無理な力が加わることが見出された。このため、ホース導入部２０１の深さを増すことを検討した。しかし、ホース導入部２０１の深さを増した場合、ホース入口カバー３００の背が高くなってしまい、背を高くしたホース入口カバー３００が水槽５００と干渉してしまい、機能しないという問題が生じた。
【０００８】
本発明は上述した課題を解決するものであり、ホース導入部の深さを増すことができ、しかもケース内の飲料ホースに飲料が残留するのを防止可能な飲料冷却注出装置およびホース入口カバーの提供を目的とする。
【課題を解決するための手段】
【０００９】
請求項１に係る発明は、ケース内に収容される冷却槽と、飲料を注出する注出部と、前記冷却槽内に配置され、前記飲料を冷却する冷却管と、前記注出部および前記冷却管を固定する固定部と、を備え、前記ケースの上蓋を外して前記冷却管と前記注出部とを固定した前記固定部を着脱可能にした飲料冷却注出装置であって、前記ケースには、鉛直方向に延びて上端縁部が開放され、前記冷却管と接続される飲料ホースを少なくとも２本挿通するホース導入部が形成され、前記ケースに取り付けられ、前記飲料ホースが挿通されるホース挿通部が形成されたホース入口カバーを備え、前記ホース導入部に前記飲料ホースが１本または複数本挿通されたときに、前記飲料ホースの本数にかかわらず前記ホース導入部に形成される隙間を塞ぎつつ、前記飲料ホースの周囲全体を前記ホース導入部の縁部と前記ホース挿通部とで囲んで保持したことを特徴とする。
【００１０】
これによれば、飲料ホースを上蓋ではなくホース入口カバーとホース導入部の縁部とで保持することで、ホース導入部を上端縁部から鉛直方向の下方に深く形成することが可能になる。よって、飲料ホースのケース内への導入高さ位置を従来よりも低くすることができる。これにより、ケース内において冷却管と接続される継手の高さ位置に対して飲料ホースの高さを低くして、飲料ホースを下方に傾斜させることができるので、ケース内の飲料ホースに飲料が残留するのを防止することができる。
【００１１】
また、飲料ホースをホース入口カバーとホース導入部の縁部とで保持することで、ホース導入部の深さを増したとしても、ホース入口カバーが冷却槽に干渉するといった不都合を防止できる。
【００１２】
また、飲料ホースは、ホース入口カバーとホース導入部の縁部とで保持されているため、冷却槽から固定部（冷却管および注出部）を取り外す際に、ホース入口カバーを飲料ホースから取り外すことが容易になる。
【００１３】
また、飲料ホースは硬質であるため、ケース内のような短い距離において従来のように継手の位置から飲料ホースが上側に曲げられると、飲料ホースが接続されている継手に大きな力（テンション）が作用するおそれがある。しかし、本発明では、飲料ホースを無理に曲げることがなくなるので、飲料ホースに作用する力を低減できる。
【００１４】
請求項２に係る発明は、前記ホース入口カバーは、磁石を介して前記ケースに取り付けられていることを特徴とする。
【００１５】
これによれば、ねじ固定などが不要になるので、ホース入口カバーの着脱が容易になる。
【００１６】
請求項３に係る発明は、前記ホース入口カバーには、前記ホース挿通部として、鉛直方向の一方の縁部に１本分の前記飲料ホースを挿通可能な第１ホース挿通部が形成されるとともに、鉛直方向の他方の縁部に２本分の前記飲料ホースを挿通可能な第２ホース挿通部が形成されていることを特徴とする。
【００１７】
これによれば、ホース入口カバーを上下入れ替えるだけで、１本用（シングル）と２本用（ダブル）とを容易に切り替えることができる。また、ホース入口カバーの幅方向の寸法を短くすることができる。また、ケースを加工する必要がない。
【００１８】
請求項４に係る発明は、前記上蓋は、その縁部が鉛直方向下方に向けて折り曲げられた縁曲げ部を有し、前記縁曲げ部は、前記飲料ホースが挿通されていない前記第１ホース挿通部または前記第２ホース挿通部の全体を塞ぐ位置まで延びていることを特徴とする。
【００１９】
これによれば、上蓋によって、使用されていない第１ホース挿通部または第２ホース挿通部の開口を塞ぐことができるので、ケース内への異物の侵入を確実に防止できる。また、使用されていない第１ホース挿通部または第２ホース挿通部を塞ぐために別の部材を設ける必要がないので、部品点数を削減できる。
【００２０】
請求項５に係る発明は、前記ホース入口カバーには、前記ホース挿通部として、鉛直方向の一方の縁部に２本分の前記飲料ホースを挿通可能な第３ホース挿通部が形成されていることを特徴とする。
【００２１】
これによれば、ホース入口カバーをスライドさせて位置を変えるだけで、１本分（シングル）と２本分（ダブル）とを容易に切り替えることができる。また、ケースを加工する必要がない。
【００２２】
請求項６に係る発明は、前記ホース入口カバーの縁部には、前記ケースから離れる方向に延びる延出部が形成され、前記延出部には貫通孔が形成されていることを特徴とする。
【００２３】
これによれば、例えば、貫通孔に紐（線材）を通してケースと結んでおくことにより、ホース入口カバーが誤って冷却槽内に落下するのを防止することができる。また、ホース入口カバーのケースに対向する面に貫通孔を形成して紐などを結ぶと、ケースとホース入口カバーとの間に、紐などが挟まれることによって、ケースに磁石を密着させることが困難になる場合がある。しかし、縁曲げ部に貫通孔を形成することで、ケースに磁石を確実に密着させることができる。
【００２４】
請求項７に係る発明は、前記ホース入口カバーには、前記ホース挿通部として、鉛直方向の下端縁部に少なくとも２本分の前記飲料ホースを挿通可能な第４ホース挿通部が形成されていることを特徴とする。
【００２５】
これによれば、ホース入口カバーをスライドさせて位置を変えるだけで、１本分（シングル）と２本分（ダブル）とを容易に切り替えることができる。
【００２６】
請求項８に係る発明は、前記ケースには、前記ホース導入部を挟んだ一側に鉛直方向に延びる第１長孔が形成され、前記第１長孔に対して前記ホース入口カバーを鉛直方向にスライドさせるとともに回転させることで前記ホース導入部を開放させることを特徴とする。
【００２７】
これによれば、ホース入口カバーがケースに回転自在に支持されているので、ホース入口カバーをケースから完全に取り外すことなく飲料ホースをホース導入部から抜き取ることが可能になる。
【００２８】
請求項９に係る発明は、前記ケースには、前記ホース導入部を挟んだ両側に鉛直方向に延びて前記ケースの上端縁部が開放した第１スライド部が形成され、前記第１スライド部を介して前記ホース入口カバーを鉛直方向にスライドさせることで着脱可能に構成されていることを特徴とする。
【００２９】
これによれば、ケースに対してホース入口カバーを容易に着脱できる。
【００３０】
請求項１０に係る発明は、前記ケースには、前記ホース導入部を挟んだ一方の側に前記ホース導入部に開放する第２ガイド部が形成され、かつ、他方の側に前記第２ガイド部の基端を中心として円弧状に延びる第３ガイド部が形成され、前記ホース入口カバーを前記第２ガイド部を介して回転させるとともに前記第３ガイド部を介してスライドさせることで前記ホース導入部を開放させることを特徴とする。
【００３１】
これによれば、ホース入口カバーの一方を第２ガイド部を回転中心として回転させ、他方を第３ガイド部に沿って円弧状にスライドさせることで、ホース入口カバーを安定して回転させることができる。
【００３２】
請求項１１に係る発明は、前記ホース入口カバーには、前記ホース挿通部として、鉛直方向の一方の縁部に１本分の前記飲料ホースを挿通可能な第１ホース挿通部が形成されるとともに、鉛直方向の他方の縁部に２本分の前記飲料ホースを挿通可能な第２ホース挿通部が形成され、前記第１ホース挿通部の両側に鉛直方向に延びて前記一方の縁部が開放する第１スライド部が形成され、前記第２ホース挿通部の両側に鉛直方向に延びて前記他方の縁部が開放する第２スライド部が形成されていることを特徴とする。
【００３３】
これによれば、ホース入口カバーの上下を入れ替えるだけで、１本分（シングル）と２本分（ダブル）とを容易に切り替えることができる。
【００３４】
請求項１２に係る発明は、前記ホース入口カバーには、前記ホース挿通部として鉛直方向の下端縁部に少なくとも２本分の前記飲料ホースを並んで挿通可能な第３ホース挿通部が形成されるとともに、前記ホース導入部を挟んだ片側に鉛直方向に並んで延びる一対の第２長孔が形成され、前記ホース入口カバーを前記第２長孔に対して鉛直方向にスライドさせるとともに回転させることで前記ホース導入部を開放させることを特徴とする。
【００３５】
これによれば、ホース入口カバーをスライドさせて位置を変えるだけで、１本分（シングル）と２本分（ダブル）とを容易に切り替えることができる。また、ケースを加工する必要がない。
【００３６】
請求項１３に係る発明は、前記ホース入口カバーには、前記ホース挿通部として、水平方向に延びて一方の側縁部が開放し、少なくとも２本分の前記飲料ホースを挿通可能な第５ホース挿通部が形成され、前記ケースに対して前記ホース入口カバーを回転させることで前記第５ホース挿通部の前記側縁部を前記ホース導入部内に開放させることを特徴とする。
【００３７】
これによれば、ホース入口カバーがケースに回転自在に支持されているので、ホース入口カバーがケースから脱落するのを防止することができる。
【００３８】
請求項１４に係る発明は、前記ホース導入部は、前記ケースの上端縁部から前記冷却槽の水槽の上限まで延びていることを特徴とする。
【００３９】
これによれば、第１ホース挿通部ないし第５ホース挿通部を、飲料ホースが接続される継手よりも低い位置に設定できるので、ケース内の飲料ホースに飲料が残留するのを確実に防止することができる。また、飲料ホースを接続する継手にかかる力を低減することができる。
【００４０】
また、本発明は、飲料冷却注出装置のケースに形成されたホース導入部に装着されるホース入口カバーであって、前記ホース導入部は、前記ケースの上端縁部が開放され、飲料ホースを少なくとも２本挿通可能であり、前記飲料ホースが挿通されるホース挿通部を備え、前記ホース導入部に前記飲料ホースが１本または複数本挿通されたときに、前記飲料ホースの本数にかかわらず前記ホース導入部に形成される隙間を塞ぎつつ、前記飲料ホースの周囲全体を前記ホース導入部の縁部と前記ホース挿通部とで囲んで保持することを特徴とする。
【００４１】
これによれば、ホース導入部の深さを増すことができ、ケース内において飲料ホースが接続される高さを最適化できる。
【発明の効果】
【００４２】
本発明によれば、ホース導入部の深さを増すことができ、しかもケース内の飲料ホースに飲料が残留するのを防止可能な飲料冷却注出装置およびホース入口カバーを提供できる。
【図面の簡単な説明】
【００４３】
【図１】本実施形態のビールサーバーを含むビール供給装置示す外観斜視図である。
【図２】本実施形態のビールサーバーの分解斜視図である。
【図３】注出部がダブルの場合のビール回路を示す平面図である。
【図４】第１実施形態のビールサーバーに設けられるホース入口カバーを示す斜視図である。
【図５】第１実施形態に係るホース入口カバーの取付状態を示し、（ａ）はシングルの場合、（ｂ）はダブルの場合である。
【図６】第１実施形態のビールサーバーでの作用効果を示す概略断面図である。
【図７】第２実施形態のビールサーバーに設けられるホース入口カバーを示す斜視図である。
【図８】第２実施形態に係るホース入口カバーの取付状態を示し、（ａ）はシングルの場合、（ｂ）はダブルの場合である。
【図９】第３実施形態のビールサーバーでのホース入口カバーの取付状態を示し、（ａ）はシングルの場合、（ｂ）はダブルの場合、（ｃ）は（ａ）のＡ−Ａ線断面図である。
【図１０】第３実施形態に係るホース入口カバーの動作を示す側面図であり、（ａ）はシングルの場合、（ｂ）はダブルの場合である。
【図１１】第４実施形態のビールサーバーでのホース入口カバーの動作を示し、（ａ）はシングルの場合、（ｂ）はダブルの場合である。
【図１２】第５実施形態のビールサーバーでのホース入口カバーの動作を示し、（ａ）はシングルの場合、（ｂ）はダブルの場合である。
【図１３】第６実施形態のビールサーバーでのホース入口カバーの取付状態を示し、（ａ）はシングルの場合、（ｂ）はダブルの場合である。
【図１４】第７実施形態のビールサーバーでのホース入口カバーの取付状態である。
【図１５】第８実施形態のビールサーバーに設けられるホース入口カバーの取付状態を示し、（ａ）はシングルの場合、（ｂ）はダブルの場合である。
【図１６】第８実施形態のビールサーバーに設けられるホース入口カバーの動作を示し、（ａ）はシングルの場合、（ｂ）はダブルの場合である。
【図１７】従来のビールサーバーに設けられるホース入口カバーを示し、（ａ）はシングルの場合、（ｂ）はダブルの場合である。
【図１８】従来のビールサーバーでの問題点を示す断面図である。
【発明を実施するための形態】
【００４４】
本実施形態について、適宜図面を参照しながら詳細に説明する。まず、ビールサーバー１０（飲料冷却注出装置）を含むビール供給装置１の構成について図１を参照して説明する。なお、以下の説明では、飲料としてビールを例に挙げて説明するが、ビールに限定されるものではなく、ノンアルコールビール、焼酎など他の種類の飲料にも適用することができる。
【００４５】
図１に示すように、ビール供給装置１は、瞬間冷却式サーバー（電気冷却式）であり、飲食店などで、ビールサーバー１０から冷却したビールをジョッキ１１などに注ぐ装置である。このビール供給装置１は、ビールサーバー１０と、ビール樽２０と、炭酸ガスボンベ３０とで構成されている。
【００４６】
ビールサーバー１０は、ケース１２の正面の上部にビールをジョッキ１１に注ぐための注ぎ口である注出部４３と、正面の下部に注出部４３から流れ落ちるビールを受ける受皿１４と、を備えている。また、ビールサーバー１０の内部から延びたビールホース１５（飲料ホース）は、上流側の端部がディスペンスヘッド１６を介してビール樽２０と接続されている。
【００４７】
また、ビールサーバー１０は、例えば略四角箱型に形成され、底面を構成する底部５０に４つの脚部５０ｓ（１つは図示省略）が設けられている。脚部５０ｓは、ゴムなどの弾性材料で形成され、ビールサーバー１０の設置台９０にそれぞれの脚部５０ｓが接するようにして載置される。なお、設置台９０としては、ビールサーバー専用の台であってもよく、飲食店などのカウンタ上であってもよい。
【００４８】
ビール樽２０には、上面中央に口金２０ａが設けられ、この口金２０ａにディスペンスヘッド１６が取り付けられている。また、ビール樽２０の口金２０ａには、ビール樽２０内の底面に向けて取出管２１が延びている。
【００４９】
炭酸ガスボンベ３０は、ビール樽２０内のビールをビールサーバー１０に向けて押し出すためのものであり、ガスホース３１を介してビール樽２０と接続されている。ガスホース３１は、その一端が減圧弁３２を介して炭酸ガスボンベ３０と接続され、他端がディスペンスヘッド１６と接続されている。
【００５０】
ディスペンスヘッド１６に設けられたハンドル１６ａを操作することにより、炭酸ガスボンベ３０内の炭酸ガスがビール樽２０内に導入され、炭酸ガスによってビールの液面に圧力が作用し、ビールの液面が押し下げられることで、ビールが取出管２１、ビールホース１５を介してビールサーバー１０に押し出される。
【００５１】
図２に示すように、ビールサーバー１０（１０Ａ〜１０Ｈ）は、ケース１２内に、冷却槽４１、冷却管４２、注出部４３、固定部４４などを備えている。
【００５２】
ケース１２は、ビールサーバー１０の外殻を成し、ステンレス鋼板をプレス成形などによって形成され、正面パネル５１、左右の側面パネル５２，５３、背面パネル（不図示）、上前パネル５５（上蓋）、上後パネル５６により構成されている。
【００５３】
正面パネル５１は、注出部４３が取り付けられる面であり、後記する第２板部４４ｂを収容する矩形状の切欠き５１ａが形成されている。
【００５４】
側面パネル５２，５３には、前後方向の前寄りに、ビールホース１５をケース１２内に導入するためのホース導入部５２ａ，５３ａが形成されている。ホース導入部５２ａ，５３ａは、側面パネル５２，５３の上端縁部５２ｓ，５３ｓから鉛直方向下方に向けて側面視凹形状を呈するように形成されている。つまり、ホース導入部５２ａ，５３ａは、上端縁部５２ｓ，５３ｓが上方に向けて開放するように切り欠かれた形状を有している。
【００５５】
また、ホース導入部５２ａ，５３ａは、その底部５２ａ１，５３ａ１が、水槽４１ａの上面４１ａ１と一致する（面一となる）ように、または上面４１ａ１よりも若干上になるように構成されている。いずれにしても、ホース導入部５２ａ，５３ａは、従来よりも深く切り欠かれている。また、この例では、ホース導入部５２ａ，５３ａの幅は、上端縁部５２ｓ，５３ｓから下端部（底部５２ａ１，５３ａ１）にかけて一定の幅で形成されている。
【００５６】
また、側面パネル５２，５３には、ホース導入部５２ａ，５３ａの両側に、ねじ孔５２ｂ，５２ｂ，５３ｂ，５３ｂが形成されている。このねじ孔５３ｂ，５３ｂ（５２ｂ，５２ｂ）は、ビールホース１５を挿通しない（使用しない）側に対して、ブラインドプレート６０（図２において二点鎖線で図示）をねじ固定してホース導入部５３ａの開口を塞ぐためのものである。なお、図２では、ブラインドプレート６０を二点鎖線で簡略化して図示しているが、実際のブラインドプレート６０には、側面パネル５３のねじ孔５３ｂ，５３ｂに対応する位置に図示しないねじ挿通孔が形成され、ブラインドプレート６０を側面パネル５３の内壁面に突き当てた状態でねじ固定される。
【００５７】
上前パネル５５（上蓋）は、ケース１２の上部の前側半分を覆うものであり、略四角形状を呈している。また、上前パネル５５は、縁部が下向きに直角に折り曲げられた縁曲げ部５５ａ，５５ｂ，５５ｃ，５５ｄを有し、下向きの凹形状を呈している。また、縁曲げ部５５ａは、正面パネル５１の上端縁部の面（正面）と、縁曲げ部５５ｂ，５５ｃとは、側面パネル５２，５３の上端縁部５２ｓ，５３ｓの面（側面）に沿う形状を有し、上前パネル５５がケース１２に被さるようにして配置される。よって、ホース導入部５２ａ，５３ａの上端の部分は、上前パネル５５によって覆われるようになっている。
【００５８】
上後パネル５６は、ケース１２の上部の後側半分を覆うものであり、略四角形状を呈している。また、上後パネル５６は、上前パネル５５と同様に、４辺の縁部が下向きに直角に折り曲げられた縁曲げ部を有し、下向きの凹形状を呈している。
【００５９】
また、上前パネル５５の後側の縁曲げ部５５ｄと上後パネル５６の前側の縁曲げ部は、側面パネル５２，５３の上端縁部５２ｓ，５３ｓに形成されたスリットに挿入され、上前パネル５５および上後パネル５６が水平状態でケース１２の上部を覆うことができるようになっている。
【００６０】
冷却槽４１は、冷却水を溜める水槽４１ａ、蒸発器４１ｂ、支持脚４１ｃ、モータ４１ｄなどで構成されている。
【００６１】
水槽４１ａは、上面が開口した有底四角筒形状を呈し、内面が合成樹脂で形成され、外側が発泡ウレタンなどの断熱材で覆われ、ケース１２の底面を構成する底部５０上に載置されている。
【００６２】
蒸発器４１ｂは、冷媒が流れる管が水槽４１ａの内壁面に沿って巻回されることで構成されている。なお、図２では、蒸発器４１ｂの一部のみを図示している。また、蒸発器４１ｂの周囲には、後記するように氷が付着する。
【００６３】
支持脚４１ｃは、略角筒形状を呈し、側面がネット状に形成され、水槽４１ａ内の底面中央に立設されている。
【００６４】
モータ４１ｄは、支持脚４１ｃの上部に設置され、支持脚４１ｃの内部に設けられたアジテータ（攪拌機、不図示）を駆動させるものである。なお、アジテータは、水槽４１ａ内の冷却水に水没するように配置され、冷却水を攪拌する。
【００６５】
なお、図示省略しているが、冷却槽４１の後方には、圧縮機、凝縮器、減圧手段（キャピラリチューブなど）などが設けられている。圧縮機の冷媒吸入側が、蒸発器４１ｂの一端と接続され、圧縮機の冷媒吐出側が、凝縮器、減圧手段を介して蒸発器４１ｂの他端と接続され、冷凍サイクルを構成している。蒸発器４１ｂ、圧縮機、凝縮器、減圧手段からなる冷凍装置が運転されると、蒸発器４１ｂの管内を冷媒が通過して、水槽４１ａ内の水が冷やされ、その一部が氷となって蒸発器４１ｂの周囲に付着する。
【００６６】
冷却管４２は、室温程度のビールを急冷（急速に冷却）する流路であり、円筒状に巻回され、水槽４１ａ内の冷却水中に水没するように構成されている。ビールホース１５を通ってビールサーバー１０内に導入されたビールは、一旦、図示しない管を介して冷却管４２の底部に向けて流れ、巻回された冷却管４２内を底側から上側に向けて流れることにより冷却される。
【００６７】
注出部４３は、カランやカランレバーなどで構成され、ケース１２の正面を向くように配置される。なお、本実施形態では、注出部４３がひとつ（シングル）のビールサーバー１０を例に挙げて説明しているが、これに限定されるものではなく、図３に示すように、注出部４３がダブルのビールサーバーであってもよい。注出部４３，４３がダブルの場合には（例えば、種類の異なるビールを提供する場合）、冷却管４２Ａ，４２Ｂ、ビールホース１５Ａ，１５Ｂのように、ビール回路が別個に構成されている。
【００６８】
図２に示すように、固定部４４は、冷却管４２と注出部４３とを固定して一体にする部材であり、冷却管４２が取り付けられる第１板部４４ａと、注出部４３が取り付けられる第２板部４４ｂとで、左右方向の側面視において略Ｌ字型を呈するように構成されている。
【００６９】
第１板部４４ａは、上下方向（鉛直方向）に貫通する開口部４４ｃが形成されている。この開口部４４ｃは、前記した支持脚４１ｃおよびモータ４１ｄが挿通可能となる開口面積に設定されている。
【００７０】
また、第１板部４４ａには、開口部４４ｃの縁部から鉛直方向下方に延びて、冷却管４２を保持する保持プレート４４ｄ，４４ｄ，４４ｄが設けられている。また、各保持プレート４４ｄは、冷却管４２の下方において、リングプレート４４ｅを介して互いに連結されている。なお、図示していないが、リングプレート４４ｅに形成された孔についても、前記開口部４４ｃと同様に、支持脚４１ｃおよびモータ４１ｄが挿通可能となる開口面積に設定されている。
【００７１】
また、第１板部４４ａには、ビールホース１５を接続するための継手４４ｆが設けられている。この継手４４ｆは、エルボ形状を呈し、一端が第１板部４４ａの上面に固定され、他端がビールホース１５と接続されている。また、継手４４ｆは、図示しない回動機構によってビールホース１５が接続される向きを前後左右の平面内において回動自在となるように構成されている。したがって、継手４４ｆを図示右向きに回動させることで、ビールサーバー１０の右側の側面パネル５２のホース導入部５２ａにビールホース１５を挿通させることができ（図１参照）、また継手４４ｆを図示左向きに回動させることで、ビールサーバー１０の左側の側面パネル５３のホース導入部５３ａにビールホース１５を挿通させることができる。
【００７２】
第２板部４４ｂには、注出部４３が取り付けられ、第２板部４４ｂの正面側において注出部４３のカランやレバーなどを備えた部分が配置され、裏面側において注出部４３のビール導入部分と冷却管４２の一端とが接続されている。なお、図２では、注出部４３と冷却管４２とが接続されている状態の図示を省略している。
【００７３】
また、第２板部４４ｂは、略同形状の２枚の板材を重ね合わせたものであり、裏側の板材が左右両端部において表側の板材から離れて、左右両端に隙間が形成され、各隙間に正面パネル５１の切欠き５１ａの左右縁部が挿入される。
【００７４】
このように、本実施形態に係るビールサーバー１０では、固定部４４に冷却管４２と注出部４３とが一体に取り付けられることにより、メンテナンス時（洗浄時）やシングルとダブルを交換する場合に冷却槽４１に対して固定部４４を鉛直方向上方に引き上げることで、冷却管４２および注出部４３を、冷却槽４１から取り外すことができるようになっている。このようなビールサーバー１０を分離型ビールサーバーと呼んでいる。
【００７５】
また、使用時には、第２板部４４ｂが正面パネル５１の切欠き５１ａに取り付けられるとともに、第１板部４４ａが冷却槽４１内に挿入される。このとき、第１板部４４ａの上面と、水槽４１ａの縁の上面４１ａ１とが面一になっている。よって、第１板部４４ａの上面４４ａ１には、ビールホース１５を接続するための継手４４ｆが設けられているので、継手４４ｆとビールホース１５とが接続される高さ位置は、水槽４１ａの上面４４ａ１よりも高くなっている。また、モータ４１ｄは、継手４４ｆよりも高い位置に設けられているので、ケース１２は、モータ４１ｄを収容できるように、継手４４ｆの高さよりも高くなるように壁面が構成されている。
【００７６】
このような分離型のビールサーバー１０では、固定部４４に継手４４ｆを介してビールホース１５が接続されているので、固定部４４をケース１２から取り外す際には、ビールホース１５も一緒に持ち上げられることになる。したがって、ビールホース１５をホース導入部５２ａから容易に抜き取ることができるように、側面パネル５２の上端縁部５２ｓが開放している。
【００７７】
また、分離型のビールサーバー１０では、固定部４４に取り付けられた冷却管４２、注出部４３およびビールホース１５（ディスペンスヘッド１６を含む）を、飲食店などから定期的に回収して、分解、洗浄することにより、洗浄品質を高く維持することができ、提供するビールの品質を高く維持できるようになっている。
【００７８】
（第１実施形態）
図４は第１実施形態のビールサーバーに設けられるホース入口カバーを示す斜視図、図５は第１実施形態に係るホース入口カバーの取付状態を示し、（ａ）はシングルの場合、（ｂ）はダブルの場合、図６は第１実施形態のビールサーバーでの作用効果を示す概略断面図である。このビールサーバー１０Ａのホース入口カバー１００Ａは、側面パネル５２，５３に取り付けられて、ビールホース１５（１５Ａ，１５Ｂ）を保持しつつ、残りの隙間を塞ぐように構成されたものである。なお、以下では、側面パネル５２側を例に挙げて説明するが、側面パネル５３についても同様に構成される。
【００７９】
図４に示すように、ホース入口カバー１００Ａは、ステンレス材を略四角形状にしたプレート１０１を有し、このプレート１０１の鉛直方向（側面パネル５２の上下方向）の一方の縁部１０１ａに略Ｕ字状に切り欠かれた第１ホース挿通部１０１ｂが形成されている。第１ホース挿通部１０１ｂは、幅方向（水平方向）の中央に形成され、外方に向けて開放している。また、第１ホース挿通部１０１ｂは、１本分のビールホース１５を挿通可能な開口となるように形成されている。
【００８０】
また、プレート１０１の鉛直方向の他方の縁部１０１ｃには、略凹状に切り欠かれた第２ホース挿通部１０１ｄが形成されている。第２ホース挿通部１０１ｄは、幅方向の中央に形成され、外方に向けて開放している。また、第２ホース挿通部１０１ｄは、２本分のビールホース１５Ａ，１５Ｂ（図５参照）を水平方向（幅方向）に並べて挿通可能な開口となるように形成されている。
【００８１】
また、プレート１０１の一方の側縁部には、プレート１０１に対して直角（プレート１０１から離れる方向）に延びる延出部１０１ｅが形成されている。この延出部１０１ｅには、貫通孔１０１ｆが形成されている。
【００８２】
また、プレート１０１の延出部１０１ｅが曲げられる側とは反対側の面（側面パネル５２側の面）には、第１ホース挿通部１０１ｂと第２ホース挿通部１０１ｄの両側に、薄板状の磁石１０１ｇ，１０１ｈが設けられている。この磁石１０１ｇ，１０１ｈは、帯状に形成され、一方の縁部１０１ａから他方の縁部１０１ｃまで延びている。ちなみに、側面パネル５２は、ステンレス製であるので、ホース入口カバー１００Ａを磁石１０１ｇ，１０１ｈを介して貼り付けることができる。
【００８３】
図５に示すように、ホース導入部５２ａは、上端縁部５２ｓが開放された凹形状を呈し、その下端に位置する底部５２ａ１が側面パネル５２の上端縁部５２ｓから鉛直方向下方に向けて水槽４１ａ（図２参照）の上面４１ａ１（上限）と略同じ高さ位置となるように構成されている。
【００８４】
プレート１０１は、ホース導入部５２ａの幅よりも、少なくとも磁石１０１ｇ，１０１ｈを取り付ける磁石取付しろ分幅広に形成されている。また、プレート１０１は、鉛直方向の長さが、水槽４１ａ（図２参照）の上面４１ａ１から側面パネル５２の上端縁部５２ｓまでの高さと略同一（プレート１０１が上端縁部５２ｓから上方に突出しないように）に形成されている。
【００８５】
第１実施形態のビールサーバー１０Ａをシングルで使用する場合、冷却管４２が冷却槽４１内に配置され、注出部４３を取り付けた第２板部４４ｂが切欠き５１ａ内にそれぞれ位置するように配置されるとともに、ビールホース１５をホース導入部５２ａ内に配置する。
【００８６】
そして、ホース入口カバー１００Ａの第１ホース挿通部１０１ｂを鉛直方向下向きとしてホース導入部５２ａ内のビールホース１５を第１ホース挿通部１０１ｂ内に収め、ビールホース１５を第１ホース挿通部１０１ｂとホース導入部５２ａの底部５２ａ１（縁部）とで囲むようにして保持させる。
【００８７】
そして、ホース入口カバー１００Ａを側面パネル５２の内壁面に対して、ホース導入部５２ａを挟んで、後側に磁石１０１ｇ、前側に磁石１０１ｈが位置するようにして、ホース入口カバー１００Ａを側面パネル５２に磁力によって貼り付ける。
【００８８】
そして、上前パネル５５でケース１２の上部に蓋をする。なお、上前パネル５５の縁曲げ部５５ｂは、使用されていない第２ホース挿通部１０１ｄの開口部の全体を塞ぐことができる位置まで延びているので、第２ホース挿通部１０１ｄを通して異物が侵入するのを防止できる。
【００８９】
また、第１ホース挿通部１０１ｂは、角部が面取りされているので、ビールホース１５が傷付くのを防止することができる。
【００９０】
また、第１実施形態のビールサーバー１０Ａをダブルで使用する場合には、ビールホース１５Ａ，１５Ｂをホース導入部５２ａに挿通した後、ホース入口カバー１００Ａの第２ホース挿通部１０１ｄを鉛直方向下向きとしてビールホース１５Ａ，１５Ｂを第２ホース挿通部１０１ｄ内に収める。またこのとき、ビールホース１５Ａ，１５Ｂを第２ホース挿通部１０１ｄとホース導入部５２ａの底部５２ａ１（縁部）とで囲むようにしてビールホース１５Ａ，１５Ｂを保持する。
【００９１】
そして、ホース入口カバー１００Ａを側面パネル５２の内壁面に、ホース導入部５２ａを挟んで、前側に磁石１０１ｇ、後側に磁石１０１ｈが位置するようにして、ホース入口カバー１００Ａを側面パネル５２に磁力で貼り付ける。
【００９２】
そして、上前パネル５５でケース１２の上部に蓋をする。この場合も、上前パネル５５の縁曲げ部５５ｂは、使用されていない第１ホース挿通部１０１ｂの開口部の全体を覆うことができる位置まで延びているので、第１ホース挿通部１０１ｂを通して異物が侵入するのを防止できる。
【００９３】
また、第２ホース挿通部１０１ｂについても、角部が面取りされているので、ビールホース１５が傷付くのを防止することができる。
【００９４】
以上説明したように、第１実施形態のビールサーバー１０Ａでは、ビールホース１５をホース入口カバー１００Ａの第１ホース挿通部１０１ｂ（または第２ホース挿通部１０１ｄ）とホース導入部５２ａの底部５２ａ１（縁部）とで囲むように保持するので、ホース導入部５２ａを鉛直方向下方に向けて従来よりも深く切り欠くことが可能になり、ホース導入部５２ａの底部５２ａ１を例えば水槽４１ａの上面４１ａ１まで切り欠くことができる。よって、図６に示すように、ビールホース１５の側面パネル５２（ケース１２）からの取り出し高さを継手４４ｆとビールホース１５とが接続される高さ位置よりも低く設定することができる。これにより、ビールホース１５を継手４４ｆから第１ホース挿通部１０１ｂに向けて下方に向けて傾斜するように配置できるので、ビールホース１５内にビールが残留するのを防止でき、ビールの品質が損なわれるのを防止しつつ、継手４４ｆに対する力が適正化される。
【００９５】
また、第１実施形態によれば、ホース入口カバー１００Ａが磁石１０１ｇ，１０１ｈを介して側面パネル５２（ケース１２）に取り付けられることで、ホース入口カバー１００Ａの取り外しおよび取り付けが容易になる。
【００９６】
ところで、図１７に示す従来のビールサーバーにおいて、ホース導入部２０１の深さを増すようすると、ビールホースを１本のみまたは２本のみの場合には、隙間を防ぐことは可能であるが、１本と２本の双方の場合に対応させるようにすると、ホース入口カバー３００の背が高くなり、ホース入口カバー３００が冷却槽４１の水槽４１ａと干渉してしまう問題がある。しかし、本実施形態のビールサーバー１０Ａを採用することにより、ホース入口カバー１００Ａが水槽４１ａの上面４１ａ１と干渉することがなくなり、１枚のホース入口カバー１００Ａによって、ビールホース１５（１５Ａ，１５Ｂ）を１本、２本のいずれにも対応させることができる。
【００９７】
また、第１実施形態によれば、ホース入口カバー１００Ａには、鉛直方向の縁部１０１ａに１本分のビールホース１５を挿通可能な第１ホース挿通部１０１ｂが形成されるとともに、鉛直方向の縁部１０１ｃに２本分のビールホース１５Ａ，１５Ｂを水平方向に並んで挿通可能な第２ホース挿通部１０１ｄが形成されているので、ホース入口カバー１００Ａの上下を反転させるだけで、１本用と２本用とを容易に切り替えることができる。
【００９８】
また、第１実施形態によれば、上前パネル５５（上蓋）に縁曲げ部５５ｂを形成し、縁曲げ部５５ｂが、使用していない第１ホース挿通部１０１ｂ（または第２ホース挿通部１０１ｄ）の全体を塞ぐ位置まで延びているので、上前パネル５５によって、使用されていない第１ホース挿通部１０１ｂ（または第２ホース挿通部１０１ｄ）の開口を塞ぐことができる。よって、ケース１２内への異物の侵入を確実に防止できる。また、使用されていない第１ホース挿通部１０１ｂ（または第２ホース挿通部１０１ｄ）を塞ぐために別の部材を設ける必要がないので、部品点数を削減できる。
【００９９】
また、第１実施形態によれば、ホース入口カバー１００Ａに貫通孔１０１ｆが形成されているので、この貫通孔１０１ｆに紐などを結んで、もう一方をケース１２に結んでおくことで、ホース入口カバー１００Ａの着脱の際にホース入口カバー１００Ａが水槽４１ａ内などに落下するのを防止できる。
【０１００】
また、第１実施形態によれば、ホース入口カバー１００Ａの側縁部（縁部）がケース１２（側面パネル５２）に対して直交する方向に延びる延出部１０１ｅが形成され、延出部１０１ｅに貫通孔１０１ｆが形成されているので、ホース入口カバー１００Ａを側面パネル５２に確実に張り付けることができる。
【０１０１】
つまり、ホース入口カバー１００Ａのケース１２に対向する面に貫通孔を形成して紐を結ぶと、側面パネル５２（ケース１２）とホース入口カバー１００Ａとの間に紐が挟まり、側面パネル５２に磁石を密着させることができなくなるおそれがある。しかし、延出部１０１ｅに貫通孔１０１ｆを形成することで、ホース入口カバー１００Ａをケース１２に磁石１０１ｇ，１０１ｈを介して確実に密着させることができる。よって、扁平な紐だけではなく、鎖状の金属製の線材を使用することもできる。
【０１０２】
また、第１実施形態によれば、ホース導入部５２ａが側面パネル５２（ケース１２）の上端縁部５２ｓから冷却槽４１の水槽４１ａの上面４１ａ１（上限）まで延びているので、ビールホース１５（１５Ａ，１５Ｂ）を水槽４１ａの上面４１ａ１の近傍において側面パネル５２の外側に案内でき、継手４４ｆから側面パネル５２に向けてビールホース１５（１５Ａ，１５Ｂ）が下降するように傾斜させることができる。よって、ビールホース１５（１５Ａ，１５Ｂ）内にビールが残留するのを防止しつつ、継手４４ｆにかかる力を適正化できる。
【０１０３】
（第２実施形態）
図７は第２実施形態のビールサーバーに設けられるホース入口カバーを示す斜視図、図８は第２実施形態に係るホース入口カバーの取付状態を示し、（ａ）はシングルの場合、（ｂ）はダブルの場合である。なお、第１実施形態と同様の構成については、同一の符号を付して重複した説明を省略する。また、第２実施形態の場合も、第１実施形態と同様な効果を得ることができる。
【０１０４】
図７に示すように、ホース入口カバー１００Ｂは、ステンレス材を略四角形状にしたプレート１０２を有し、このプレート１０２の鉛直方向の下方の縁部１０２ａに略凹字状に切り欠かれた第３ホース挿通部１０２ｂが形成されている。第３ホース挿通部１０２ｂは、プレート１０２に対して幅方向（水平方向）の中央よりも一側方に寄って形成され、外方に向けて開放している。また、第３ホース挿通部１０２ｂは、２本分のビールホース１５Ａ，１５Ｂ（図８（ｂ）参照）を挿通可能な開口となるように形成されている。
【０１０５】
また、プレート１０２の一方の側縁部には、プレート１０２に対して直角に延びる延出部１０２ｃが形成されている。この延出部１０２ｃには、貫通孔１０２ｄが形成されている。
【０１０６】
また、プレート１０２には、第３ホース挿通部１０２ｂの両側に、帯状の磁石１０２ｅ，１０２ｆが設けられている。この磁石１０２ｅ，１０２ｆは、鉛直方向の上側の縁部から下側の縁部１０２ａまで延びている。
【０１０７】
図８（ａ），（ｂ）に示すように、プレート１０２は、ホース導入部５２ａの幅よりも、少なくとも磁石１０２ｅ，１０２ｆの取付しろ分および１本分のビールホース１５の幅（直径）分、第１実施形態のホース入口カバー１００Ａよりも幅広に形成されている。また、プレート１０２は、下端の縁部１０２ａが、水槽４１ａ（図２参照）の上面４１ａ１に位置し、上端の縁部が上前パネル５５の縁曲げ部５５ｂの下端部と略同一である。なお、上面４１ａ１は、水槽４１ａの上端でもあるし、断熱材の上端でもある。
【０１０８】
図８（ａ）に示すように、第２実施形態のビールサーバー１０Ｂをシングルで使用する場合には、ホース入口カバー１００Ｂの第３ホース挿通部１０２ｂを鉛直方向下向きとし、ホース導入部５２ａ内のビールホース１５を第３ホース挿通部１０２ｂ内に収める。
【０１０９】
そして、第３ホース挿通部１０２ｂの開口を１本分のビールホース１５に対応するようにホース入口カバー１００Ｂを前後方向にスライドさせる。これにより、ビールホース１５を第３ホース挿通部１０２ｂとホース導入部５２ａの底部５２ａ１（縁部）および側部５２ａ２（縁部）とで囲むことで、ビールホース１５がホース導入部５２ａ内でほぼ隙間なく保持される。
【０１１０】
また、ホース入口カバー１００Ｂを側面パネル５２の内壁面に対して、ホース導入部５２ａを挟んで、後側に磁石１０２ｅ、前側に磁石１０２ｆが位置するようにして、ホース入口カバー１００Ｂを側面パネル５２に磁力によって貼り付ける。
【０１１１】
そして、上前パネル５５でケース１２の上部に蓋をする。なお、上前パネル５５の縁曲げ部５５ｂは、ホース入口カバー１００Ｂの上端の縁部まで延びているので、ホース入口カバー１００Ｂより上側のホース導入部５２ａの開口全体を塞ぐことができ、異物が侵入するのを防止できる。
【０１１２】
また、第３ホース挿通部１０２ｂおよびホース導入部５２ａは、角部が面取りされているので、ビールホース１５が傷付くのを防止することができる。
【０１１３】
図８（ｂ）に示すように、第２実施形態のビールサーバー１０Ｂをダブルで使用する場合には、ビールホース１５Ａ，１５Ｂをホース導入部５２ａに挿通した後、ホース入口カバー１００Ｂの第３ホース挿通部１０２ｂを鉛直方向下向きとし、ビールホース１５Ａ，１５Ｂを第３ホース挿通部１０２ｂ内に収める。
【０１１４】
そして、ホース入口カバー１００Ｂを側面パネル５２の内壁面に、ホース導入部５２ａを挟んで、前側に磁石１０２ｆ、後側に磁石１０２ｅが位置するようにして、ホース入口カバー１００Ｂを側面パネル５２に磁力によって貼り付ける。
【０１１５】
これにより、ビールホース１５Ａ，１５Ｂが、第３ホース挿通部１０２ｂとホース導入部５２ａの底部５２ａ１（縁部）とで囲まれることで、ビールホース１５Ａ，１５Ｂがホース導入部５２ａ内でほぼ隙間なく保持される。
【０１１６】
そして、上前パネル５５でケース１２の上部に蓋をする。また、この場合も、上前パネル５５の縁曲げ部５５ｂは、ホース入口カバー１００Ｂの上端の縁部まで延びているので、ホース入口カバー１００Ｂより上側のホース導入部５２ａの開口全体（隙間）を塞ぐことができ、異物が侵入するのを防止できる。
【０１１７】
（第３実施形態）
図９は第３実施形態のビールサーバーでのホース入口カバーの取付状態を示し、（ａ）はシングルの場合、（ｂ）はダブルの場合、（ｃ）は（ａ）のＡ−Ａ線断面図、図１０は第３実施形態に係るホース入口カバーの動作を示す側面図であり、（ａ）はシングルの場合、（ｂ）はダブルの場合である。
【０１１８】
図９に示すように、側面パネル５２には、ホース導入部５２ａの後方において鉛直方向に延びる第１長孔５２ｃが形成されている。なお、第１長孔５２ｃの下端の位置は、前記側面パネル５２のねじ孔５２ｂと対応する位置であり、側面パネル５２に対してねじ孔５２ｂの高さ位置から鉛直方向上方に向けて延びている。
【０１１９】
ホース入口カバー１００Ｃは、ステンレス材を略四角形状にしたプレート１０３を有し、このプレート１０３の鉛直方向の下端縁部１０３ａに略矩形状に切り欠かれた第４ホース挿通部１０３ｂが形成されている。第４ホース挿通部１０３ｂは、プレート１０３に対して幅方向（水平方向）の中央から後方（一方の側方）に向けて延び、角部を含めて切り欠かれている。また、第４ホース挿通部１０３ｂは、少なくとも２本分のビールホース１５Ａ，１５Ｂ（図９（ｂ）参照）を挿通可能な開口となるように形成されている。
【０１２０】
また、プレート１０３の上部には、第１長孔５２ｃの下端に対応する高さ位置においてねじ孔１０３ｃ，１０３ｄ，１０３ｅ，１０３ｆが前後方向（水平方向）に並んで形成されている。また、幅方向（前後方向）の中央を挟んで後寄りに内側から順にねじ孔１０３ｃ，１０３ｅが形成され、前寄りに内側から順にねじ孔１０３ｆ，１０３ｄが形成されている。つまり、ねじ孔１０３ｃ，１０３ｄが第１長孔５２ｃとねじ孔５２ｂに対応し（図９（ａ）参照）、ねじ孔１０３ｅ，１０３ｆが第１長孔５２ｃとねじ孔５２ｂと対応するようになっている（図９（ｂ）参照）。
【０１２１】
図９（ａ）に示すように、第３実施形態のビールサーバー１０Ｃをシングルで使用する場合には、ホース入口カバー１００Ｃの第４ホース挿通部１０３ｂを鉛直方向下向きとし、ホース導入部５２ａ内のビールホース１５を第４ホース挿通部１０３ｂとホース導入部５２ａの底部５２ａ１（縁部）および側部５２ａ２（縁部）とで囲むように位置決めする。
【０１２２】
そして、ホース入口カバー１００Ｃを側面パネル５２に回動自在に支持させる。すなわち、図９（ｃ）に示すように、側面パネル５２の第１長孔５２ｃとホース入口カバー１００Ｃのねじ孔１０３ｃとが重なるように、ホース入口カバー１００Ｃを側面パネル５２に当接させる。そして、ホース入口カバー１００Ｃのねじ孔１０３ｃに、軸方向の両側にねじ溝（不図示）が形成されスペーサ７１を挿通する。スペーサ７１の外側のねじ溝に第１長孔５２ｃに挿通したねじ７２を螺合させ、内側のねじ溝に蝶ねじ７３を螺合させる。ねじ孔１０３ｃの内径は、スペーサ７１の外径よりも大きく形成されているので、側面パネル５２に対してホース入口カバー１００Ｃを回転可能に支持させることができる。以下において、これを回転機構部と称する。
【０１２３】
なお、側面パネル５２にホース入口カバー１００Ｃを回転可能に取り付けることができるものであれば、図９（ｃ）に示す方法に限定されず、例えば、ねじとナットのみで構成するものなどであってもよい。また、前もってホース入口カバー１００Ｃを側面パネル５２に回転機構部によって回転自在に取り付けておき、ホース導入部５２ａにビールホース１５を挿通させるようにして組み付けてもよい。
【０１２４】
そして、側面パネル５２の前側のねじ孔５２ｂと、ホース入口カバー１００Ｃのねじ孔１０３ｄとをねじ固定する。そして、上前パネル５５でケース１２の上部に蓋をする。
【０１２５】
また、第４ホース挿通部１０３ｂおよびホース導入部５２ａは、角部が面取りされているので、ビールホース１５が傷付くのを防止することができる。
【０１２６】
また、図９（ｂ）に示すように、第３実施形態のビールサーバー１０Ｃをダブルで使用する場合には、ビールホース１５Ａ，１５Ｂをホース導入部５２ａに挿通した後、ホース入口カバー１００Ｃの第４ホース挿通部１０３ｂを鉛直方向下向きとし、ホース導入部５２ａ内のビールホース１５を第４ホース挿通部１０３ｂとホース導入部５２ａの底部５２ａ１（縁部）および側部５２ａ２（縁部）とで囲むように位置決めする。
【０１２７】
そして、側面パネル５２の第１長孔５２ｃとホース入口カバー１００Ｃのねじ孔１０３ｅとが重なるように、ホース入口カバー１００Ｃを側面パネル５２に回転可能に支持させる。そして、側面パネル５２のねじ孔５２ｂとホース入口カバー１００Ｃのねじ孔１０３ｆとをねじ固定する。そして、上前パネル５５でケース１２の上部に蓋をする。
【０１２８】
図１０（ａ）に示すように、シングルのビールサーバー１０Ｃのメンテナンス時などには、上前パネル５５を取り外し、側面パネル５２のねじ孔５２ｂとホース入口カバー１００Ｃのねじ孔１０３ｄからねじを取り外した状態において、冷却管４２（図２参照）および注出部４３（図２参照）が固定された固定部４４（図２参照）を上方へ持ち上げる。このとき、ビールホース１５を継手４４ｆ（図２参照）に接続したまま、ビールホース１５が持ち上げられると、ビールホース１５によってホース入口カバー１００Ｃのねじ孔１０３ｃが第１長孔５２ｃに沿って上方へスライド移動するとともに、ねじ孔１０３ｃを中心として図示時計回り方向に回動する。これにより、ホース導入部５２ａが開放状態となり、ビールホース１５をホース導入部５２ａから抜き取ることができる。
【０１２９】
また、図１０（ｂ）に示すように、ダブルのビールサーバー１０Ｃのメンテナンス時などには、上前パネル５５を取り外し、側面パネル５２のねじ孔５２ｂとホース入口カバー１００Ｃのねじ孔１０３ｆからねじを取り外した状態において、冷却管４２（図２参照）および注出部４３（図２参照）が固定された固定部４４（図２参照）を上方へ持ち上げる。このとき、ビールホース１５を継手４４ｆ（図２参照）に接続したまま、ビールホース１５Ａ，１５Ｂが持ち上げられると、ビールホース１５Ａ，１５Ｂによってホース入口カバー１００Ｃのねじ孔１０３ｅが第１長孔５２ｃに沿って上方へスライド移動するとともに、ねじ孔１０３ｅを中心として図示時計回り方向に回動する。これにより、ホース導入部５２ａが開放状態となり、ビールホース１５Ａ，１５Ｂをホース導入部５２ａから抜き取ることができる。すなわち、ビールホース１５（１５Ａ，１５Ｂ）ごと上方に持ち上げることで、自ずとホース入口カバー１００Ｃが上方に移動しつつ回転して、ビールホース１５（１５Ａ，１５Ｂ）の進路を開けていく。
【０１３０】
なお、ホース導入部５２ａにブラインドプレート６０（図２参照）を取り付ける場合には、ねじ孔５２ｂと、第１長孔５２ｃの下端部とを利用する。
【０１３１】
第３実施形態によれば、第１長孔５２ｃを介してホース入口カバー１００Ｃが側面パネル５２（ケース１２）に回転自在に支持されているので、ホース入口カバー１００Ｃを側面パネル５２から取り外すことなくビールホース１５をビール導入部５２ａから抜き取ることができる。
【０１３２】
（第４実施形態）
図１１は第４実施形態のビールサーバーでのホース入口カバーの動作を示し、（ａ）はシングルの場合、（ｂ）はダブルの場合である。なお、第３実施形態と同様の構成については、同一の符号を付して重複した説明を省略する。また、図１１では、ホース入口カバー１００Ｃを側面パネル５２から取り外す（または取り付ける）途中の状態を図示している。
【０１３３】
図１１（ａ），（ｂ）に示すように、ビールサーバー１０Ｄの側面パネル５２には、ホース導入部５２ａの前後方向（水平方向）の両側に第１ガイド部５２ｄ，５２ｅが形成されている。第１ガイド部５２ｄ，５２ｅは、ホース入口カバー１００Ｃのねじ孔１０３ｃ，１０３ｄ，１０３ｅ，１０３ｆに対応する高さ位置から鉛直方向上方に向けて延び、側面パネル５２の上端縁部５２ｓで開放するように構成されている。
【０１３４】
また、第１ガイド部５２ｄと第１ガイド部５２ｅとの距離は、ねじ孔１０３ｃとねじ孔１０３ｄとの間の距離に対応し、またねじ孔１０３ｅとねじ孔１０３ｆとの間の距離に対応する。
【０１３５】
図１１（ａ）に示すように、ビールサーバー１０Ｄをシングルで使用する場合には、回転機構部（図９（ｃ）参照）をホース入口カバー１００Ｃのねじ孔１０３ｃ，１０３ｄに設ける。ホース入口カバー１００Ｃの第４ホース挿通部１０３ｂを鉛直方向下向きとし、ホース入口カバー１００Ｃのねじ孔１０３ｃ，１０３ｄを第１ガイド部５２ｄ，５２ｅに沿って下方にスライドさせることにより、ビールホース１５が第４ホース挿通部１０３ｂとホース導入部５２ａの底部５２ａ１（縁部）および側部５２ａ２（縁部）とで囲まれるようして保持される。
【０１３６】
図１１（ｂ）に示すように、ビールサーバー１０Ｄをダブルで使用する場合には、回転機構部（図９（ｃ）参照）をホース入口カバー１００Ｃのねじ孔１０３ｅ，１０３ｆに設ける。ホース入口カバー１００Ｃの第４ホース挿通部１０３ｂを鉛直方向下向きとし、ホース入口カバー１００Ｃのねじ孔１０３ｅ，１０３ｆを第１ガイド部５２ｄ，５２ｅに沿って下方にスライドさせることにより、ビールホース１５が第４ホース挿通部１０３ｂとホース導入部５２ａの底部５２ａ１（縁部）および側部５２ａ２（縁部）とで囲まれるようにして保持される。
【０１３７】
なお、シングルとダブルのいずれにおいても、ホース入口カバー１００Ｃを側面パネル５２の第１ガイド部５２ｄ，５２ｅに沿って上方にスライドさせることで、ホース入口カバー１００Ｃを側面パネル５２から取り外すことができる。
【０１３８】
第４実施形態によれば、ねじを締め付けたり、緩めたりすることなく、側面パネル５２に対するホース入口カバー１００Ｃの着脱を容易にできる。
【０１３９】
なお、図９（ｃ）に示す機構に限定されるものではなく、第１ガイド部５２ｄの下端部とホース入口カバー１００Ｃのねじ孔１０３ｃとをねじ固定し、第１ガイド部５２ｅの下端部とホース入口カバー１００Ｃのねじ孔１０３ｄとをねじ固定するようにしてもよい。また、ねじの締め付け状態を緩めることにより、ホース入口カバー１００Ｃを第１ガイド部５２ｄ，５２ｅに沿って上方にスライドさせることができ、ホース入口カバー１００Ｃを側面パネル５２から取り外すことができる。
【０１４０】
（第５実施形態）
図１２は第５実施形態のビールサーバーでのホース入口カバーの動作を示し、（ａ）はシングルの場合、（ｂ）はダブルの場合である。なお、第３実施形態と同様の構成については同一の符号を付して重複した説明を省略する。
【０１４１】
図１２（ａ），（ｂ）に示すように、ビールサーバー１０Ｅの側面パネル５２には、ホース導入部５２ａの後側に第２ガイド部５２ｆが形成され、前側に第３ガイド部５２ｇが形成されている。
【０１４２】
第２ガイド部５２ｆは、ホース導入部５２ａの縁部近傍から水平方向の前方へ直線状に延びて形成され、ホース導入部５２ａ内に開放している。また、第２ガイド部５２ｆの高さ位置は、ホース入口カバー１００Ｃのねじ孔１０３ｃ，１０３ｅの高さ位置と同じに設定されている。
【０１４３】
第３ガイド部５２ｇは、側面パネル５２の縁部近傍から第２ガイド部５２ｆの基端を回転中心とした円弧軌跡となるように上方に向けて円弧状に延びて形成され、ホース導入部５２ａ内に開放している。また、第３ガイド部５２ｇの下端の高さ位置は、ホース入口カバー１００Ｃのねじ孔１０３ｄ，１０３ｆの高さ位置と同じである。
【０１４４】
図１２（ａ）に示すように、ビールサーバー１０Ｅをシングルで使用する場合には、回転機構部（図９（ｃ）参照）をホース入口カバー１００Ｃのねじ孔１０３ｃ，１０３ｄに設ける。また、ホース入口カバー１００Ｃの第４ホース挿通部１０３ｂを鉛直方向下向きとして、ねじ孔１０３ｃを第２ガイド部５２ｆに支持させ、ねじ孔１０３ｄを第３ガイド部５２ｇに沿ってスライドさせる。これにより、ビールホース１５が第４ホース挿通部１０３ｂとホース導入部５２ａの底部５２ａ１（縁部）および側部５２ａ２（縁部）とで囲まれるようして保持される。
【０１４５】
図１２（ｂ）に示すように、ビールサーバー１０Ｅをダブルで使用する場合には、回転機構部（図９（ｃ）参照）をホース入口カバー１００Ｃのねじ孔１０３ｅ，１０３ｆに設ける。ホース入口カバー１００Ｃの第４ホース挿通部１０３ｂを鉛直方向下向きにし、ねじ孔１０３ｅを第２ガイド部５２ｆに支持させ、ねじ孔１０３ｆを第３ガイド部５２ｇに沿ってスライドさせる。これにより、ビールホース１５が第４ホース挿通部１０３ｂとホース導入部５２ａの底部５２ａ１（縁部）および側部５２ａ２（縁部）とで囲まれるようして保持される。
【０１４６】
第５実施形態のビールサーバー１０Ｅによれば、ホース入口カバー１００Ｃの一方が第２ガイド部５２ｆを回転中心とし、他方が第３ガイド部５２ｇに沿ってスライドすることで、側面パネル５２に対してホース入口カバー１００Ｃを安定して回転させることができる。
【０１４７】
（第６実施形態）
図１３は第６実施形態のビールサーバーでのホース入口カバーの取付状態を示し、（ａ）はシングルの場合、（ｂ）はダブルの場合である。
【０１４８】
図１３（ａ），（ｂ）に示すように、ホース入口カバー１００Ｄは、ステンレス材を略四角形状にしたプレート１０４を有し、このプレート１０４の鉛直方向（側面パネル５２の上下方向）の一方の縁部１０４ａに略Ｕ字状に切り欠かれた第１ホース挿通部１０４ｂが形成されている。第１ホース挿通部１０４ｂは、幅方向（水平方向）の中央に形成され、外方に向けて開放している。また、第１ホース挿通部１０４ｂは、１本分のビールホース１５を挿通可能な開口となるように形成されている。
【０１４９】
また、プレート１０４の鉛直方向の他方の縁部１０４ｃには、略凹状に切り欠かれた第２ホース挿通部１０４ｄが形成されている。第２ホース挿通部１０４ｄは、幅方向の中央に形成され、外方に向けて開放している。また、第２ホース挿通部１０４ｄは、２本分のビールホース１５Ａ，１５Ｂ（図１３（ｂ）参照）を水平方向（幅方向）に並べて挿通可能な開口となるように形成されている。
【０１５０】
また、プレート１０４には、第１ホース挿通部１０４ｂの両側に、第１スライド部１０４ｅ，１０４ｅが形成され、第２ホース挿通部１０４ｄの両側に、第２スライド部１０４ｆ，１０４ｆが形成されている。
【０１５１】
第１スライド部１０４ｅは、鉛直方向に延び、一方の縁部１０４ａにおいて開放している。第２スライド部１０４ｆは、鉛直方向に延び、他方の縁部１０４ｃにおいて開放している。
【０１５２】
図１３（ａ）に示すように、ビールサーバー１０Ｆをシングルで使用する場合には、ねじｎ１０を側面パネル５２に形成された図示しないねじ孔と第１スライド部１０４ｅに挿通し、ナットに螺合することでホース入口カバー１００Ｄを側面パネル５２に固定する。また、がたつき防止のため、ねじｎ１１を側面パネル５２に形成された図示しないねじ孔と第１スライド部１０４ｅに挿通し、ナットに螺合することでホース入口カバー１００Ｄを側面パネル５２に固定する。これにより、ビールホース１５が第４ホース挿通部１０４ｂとホース導入部５２ａの底部５２ａ１（縁部）とで囲まれて保持される。
【０１５３】
図１３（ｂ）に示すように、ビールサーバー１０Ｆをダブルで使用する場合には、ねじｎ１０を側面パネル５２に形成された図示しないねじ孔と第２スライド部１０４ｆに挿通し、ナットに螺合することでホース入口カバー１００Ｄを側面パネル５２に固定する。また、がたつき防止のため、ねじｎ１１を側面パネル５２に形成された図示しないねじ孔と第１スライド部１０４ｅに挿通し、ナットに螺合することでホース入口カバー１００Ｄを側面パネル５２に固定する。これにより、ビールホース１５Ａ，１５Ｂが第４ホース挿通部１０４ｂとホース導入部５２ａの底部５２ａ１（縁部）とで囲まれて保持される。
【０１５４】
第６実施形態によれば、ホース入口カバー１００Ｄの上下を入れ替えるだけで、１本分と２本分の開口に容易に対応することができる。
【０１５５】
（第７実施形態）
図１４は第７実施形態のビールサーバーでのホース入口カバーの取付状態である。
ビールサーバー１０Ｇのホース入口カバー１００Ｅは、ステンレス材を略四角形状にしたプレート１０５を有し、このプレート１０５の鉛直方向の下端の縁部１０５ａに略凹状に切り欠かれた第３ホース挿通部１０５ｂが形成されている。第３ホース挿通部１０５ｂは、プレート１０５に対して幅方向（水平方向）の中央よりも一側方（後方）寄りに形成され、外方に向けて開放している。また、第３ホース挿通部１０５ｂは、２本分のビールホース１５Ａ，１５Ｂを挿通可能な開口となるように形成されている。
【０１５６】
また、プレート１０５には、第３ホース挿通部１０５ｂの両側に、鉛直方向に延びる一対の第２長孔１０５ｃ，１０５ｄが形成されている。また、プレート１０５の上部には、ねじ孔１０５ｅ，１０５ｆが第２長孔１０５ｃ，１０５ｄと反対側の側方に水平方向に並んで形成されている。ねじ孔１０５ｅ，１０５ｆの高さ位置は、第２長孔１０５ｃ，１０５ｄの上端部の高さ位置と同じである。
【０１５７】
なお、図示省略しているが、ビールサーバー１０Ｇをシングルで使用する場合には、ホース入口カバー１００Ｅの第３ホース挿通部１０５ｂを鉛直方向下向きとし、ホース導入部５２ａ内のビールホース１５を第３ホース挿通部１０５ｂ内に収め、第２長孔１０５ｃと一方のねじ孔５２ｂとを回転機構部（図９（ｃ）参照）で回転可能に支持させ、ねじ孔１０５ｅと他方のねじ孔５２ｂとをねじ固定する。
【０１５８】
また、ビールサーバー１０Ｇをダブルで使用する場合には、ホース入口カバー１００Ｅの第３ホース挿通部１０５ｂを鉛直方向下向きとし、ホース導入部５２ａ内のビールホース１５を第３ホース挿通部１０５ｂ内に収め、第２長孔１０５ｄと一方のねじ孔５２ｂとを回転機構部（図９（ｃ）参照）で回動自在に支持させ、ねじ孔１０５ｆと他方のねじ孔５２ｂとをねじ固定する。
【０１５９】
第７実施形態によれば、側面パネル５２を加工することなく、シングルとダブルに対応させることができる。
【０１６０】
（第８実施形態）
図１５は第８実施形態のビールサーバーに設けられるホース入口カバーの取付状態を示し、（ａ）はシングルの場合、（ｂ）はダブルの場合、図１６は第８実施形態のビールサーバーに設けられるホース入口カバーの動作を示し、（ａ）はシングルの場合、（ｂ）はダブルの場合である。なお、第８実施形態は、ホース導入部５２ｈの深さを前記実施形態よりも浅くした構成である。
【０１６１】
図１５（ａ），（ｂ）に示すように、ホース入口カバー１００Ｆは、ステンレス材で略四角形状のプレート１０６を有し、このプレート１０６の一方の側縁部１０６ａが開放し、前後方向（水平方向）に延びる第５ホース挿通部１０６ｂが形成されている。第５ホース挿通部１０６ｂは、少なくとも２本分のビールホース１５Ａ，１５Ｂ（図１５（ｂ）参照）を前後方向（水平方向）に並んで挿通可能となるように構成されている。
【０１６２】
また、プレート１０６には、第５ホース挿通部１０６ｂよりも下側にねじ孔１０６ｃ，１０６ｅが前後方向（水平方向）に並んで形成され、第５ホース挿通部１０６ｂよりも上側にねじ孔１０６ｄ、１０６ｆが前後方向（水平方向）に並んで形成されている。
【０１６３】
一方、側面パネル５２には、前記ホース導入部５２ａよりも浅く形成されたホース導入部５２ｈが形成されている。ホース導入部５２ｈの底部５２ａ３は、第５ホース挿通部１０６ｂの下側の縁部と高さが一致している。
【０１６４】
また、側面パネル５２には、ブラインドプレート６０（図２参照）を固定するためのねじ孔５２ｉ，５２ｊが形成されている。ねじ孔５２ｉ，５２ｊは、ねじ孔１０６ｃ，１０６ｄ（またはねじ孔１０６ｅ，１０６ｆ）と対応する位置に形成されている。
【０１６５】
図１５（ａ）に示すように、ビールサーバー１０Ｈをシングルで使用する場合には、側面パネル５２のねじ孔５２ｉとホース入口カバー１００Ｆのねじ孔１０６ｃとを、回転機構部（図９（ｃ）参照）で連結し、側面パネル５２のねじ孔５２ｊとホース入口カバー１００Ｆのねじ孔１０６ｄとをねじ固定する。これにより、ビールホース１５は、ホース入口カバー１００Ｆとホース導入部５２ｈの底部５２ａ３（縁部）および側部５２ａ４（縁部）とで囲まれて保持される。
【０１６６】
図１５（ｂ）に示すように、ビールサーバー１０Ｈをダブルで使用する場合には、側面パネル５２のねじ孔５２ｉとホース入口カバー１００Ｆのねじ孔１０６ｅとを、回転機構部（図９（ｃ）参照）で連結し、側面パネル５２のねじ孔５２ｊとホース入口カバー１００Ｆのねじ孔１０６ｆとをねじ固定する。これにより、ビールホース１５Ａ，１５Ｂは、ホース入口カバー１００Ｆとホース導入部５２ｈの底部５２ａ３（縁部）および側部５２ａ４（縁部）とで囲まれて保持される。
【０１６７】
図１６（ａ）に示すように、シングルのビールサーバー１０Ｈにおいてビールホース１５を取り外す場合には、側面パネル５２のねじ孔５２ｊとホース入口カバー１００Ｆのねじ孔１０６ｄとのねじ固定を解除して、ホース入口カバー１００Ｆのねじ孔１０６ｃを始点として図示時計回り方向へ回転させることで、第５ホース挿通部１０６ｂの開放端がホース導入部５２ｈ内に臨む。これにより、ビールホース１５をホース導入部５２ｈから抜き取ることができる。
【０１６８】
図１６（ｂ）に示すように、ダブルのビールサーバー１０Ｈにおいてビールホース１５Ａ，１５Ｂを取り外す場合には、側面パネル５２のねじ孔５２ｊとホース入口カバー１００Ｆのねじ孔１０６ｆとのねじ固定を解除して、ホース入口カバー１００Ｆのねじ孔１０６ｅを始点として図示時計回り方向へ回転させることで、第５ホース挿通部１０６ｂの開放端がホース導入部５２ｈ内に臨む。これにより、ビールホース１５Ａ，１５Ｂをホース導入部５２ｈから抜き取ることができる。
【０１６９】
ちなみに、ビールサーバー１０Ｈの場合でも、継手とビールホース１５，１５Ａ，１５Ｂとの接続位置が、図１５（ａ），（ｂ）で示すビールホース１５，１５Ａ，１５Ｂの位置よりも高い場合には、継手からケース１２の外側に向けてビールホース１５，１５Ａ，１５Ｂを下側に向けて傾斜させることができるので、ビールホース１５，１５Ａ，１５Ｂ内にビールが残留するのを防止できる。
【０１７０】
また、ホース導入部５２ｈの深さを浅く形成できるので、ビールホース１５（１５Ａ，１５Ｂ）のケース１２内への導入高さを従来よりも低く設定できるので、継手４４ｆに無理な力がかかるのを抑制することができる。また、ビールホース１５（１５Ａ，１５Ｂ）が水平になったとしても、ビールホース１５（１５Ａ，１５Ｂ）が接続される継手４４ｆに対する負荷を減らすことができる。
【０１７１】
なお、本発明は前記した各実施形態に限定されるものではなく、本発明の趣旨を逸脱しない範囲において種々変更することができる。例えば、第１実施形態の場合において、ホース入口パネル１００Ａの、側面パネル５２のねじ孔５２ｂ，５２ｂに対応する位置に、ねじ孔５２ｂ，５２ｂに軽嵌合可能な円形の突起部を設けて、ホース入口パネル１００Ａを側面パネル５２に貼り付けつつ、突起部をねじ孔５２ｂに軽嵌合させるようにしてもよい。これにより、ホース入口カバー１００Ａが側面パネル５２に対してずり落ちるのを防止することができる。
【０１７２】
また、ビールホース１５Ａ，１５Ｂは、前後方向（水平方向）に並べて配置されるものに限定されず、鉛直方向（上下方向）に並べて配置するものであってもよい。
【０１７３】
また、第１実施形態ないし第８実施形態を適宜組み合わせてビールサーバーを構成してもよい。
【符号の説明】
【０１７４】
１０，１０Ａ〜１０Ｈ  ビールサーバー（飲料冷却注出装置）
１２    ケース
１５，１５Ａ，１５Ｂ  ビールホース（飲料ホース）
４１    冷却槽
４１ａ  水槽
４１ａ１  上面（上限）
４２    冷却管
４３    注出部
４４    固定部
５１    正面パネル
５２，５３  側面パネル
５２ａ，５３ａ  ホース導入部
５２ａ１  底部（縁部）
５２ａ２  側部（縁部）
５２ｃ  第１長孔
５２ｄ，５２ｅ  第１ガイド部
５２ｆ  第２ガイド部
５２ｇ  第３ガイド部
５５    上前パネル（上蓋）
５５ｂ，５５ｃ  縁曲げ部
１００Ａ〜１００Ｆ  ホース入口カバー
１０１ｂ，１０４ｂ  第１ホース挿通部
１０１ｄ，１０４ｄ  第２ホース挿通部
１０１ｅ  延出部
１０１ｆ  貫通孔
１０１ｇ，１０１ｈ，１０２ｅ，１０２ｆ  磁石
１０２ｂ  第３ホース挿通部
１０２ｃ  延出部
１０２ｄ  貫通孔
１０３ａ  下端縁部
１０３ｂ  第４ホース挿通部
１０４ｅ  第２スライド部
１０４ｆ  第３スライド部
１０５ｃ，１０５ｄ  第２長孔
１０６ｂ  第５ホース挿通部
【図１】
0006008543.tif 000002
【図２】
0006008543.tif 000003
【図３】
0006008543.tif 000004
【図４】
0006008543.tif 000005
【図５】
0006008543.tif 000006
【図６】
0006008543.tif 000007
【図７】
0006008543.tif 000008
【図８】
0006008543.tif 000009
【図９】
0006008543.tif 000010
【図１０】
0006008543.tif 000011
【図１１】
0006008543.tif 000012
【図１２】
0006008543.tif 000013
【図１３】
0006008543.tif 000014
【図１４】
0006008543.tif 000015
【図１５】
0006008543.tif 000016
【図１６】
0006008543.tif 000017
【図１７】
0006008543.tif 000018
【図１８】
0006008543.tif 000019